(57)【要約】【解決手段】記録媒体Ｐを載置するベース体１を設ける。該ベース体１の左右両端部に配置されたエンドパネル２を設ける。ベース体１上面の長手方向に沿って設けられた固定凹部１Ａａに着脱自在に装着する仕切り板３を設ける。ベース体１の固定凹部１Ａａに嵌合する嵌合突起３Ｂを仕切り板３の底面に設ける。該底面からベース体１の載置面に沿って延長される幅調節片３Ａを設ける。該幅調節片３Ａに複数の係止部３Ａａを設ける。隣接する仕り板３の幅調節片３Ａａの係止部相互３Ａａを係止して仕切り板３相互の間隔を調整する。【効果】サイズの異なる記録媒体を個別に又は適数枚ずつ合理的に保持することが可能になる。横並びの列から一部のスタンドを容易に取出すことができる。【選択図】        図１
2005022718.tif 000002
【特許請求の範囲】
【請求項１】
記録媒体を載置するベース体と、該ベース体の左右両端部に配置されたエンドパネルと、ベース体上面の長手方向に沿って設けられた固定凹部に着脱自在に装着する仕切り板とからなる記録媒体用スタンドにおいて、ベース体の固定凹部に着脱自在に嵌合する嵌合突起を仕切り板の底面に設けると共に、該底面からベース体の載置面に沿って延長される幅調節片を設け、該幅調節片に複数の係止部を設け、隣接する仕切り板の幅調節片の係止部相互を係止して仕切り板相互の間隔を調整することを特徴とする記録媒体用スタンド。
【請求項２】
前記エンドパネルの左右いずれか一方の上端部前面と、残る他方の上端部後面とに突起部を設け、複数のスタンドを横並びにしたときに隣接したエンドパルから該突起部が突出するように設けた請求項１記載の記録媒体用スタンド。
【請求項３】
前記ベース体は、記録媒体を載置する載置台と記録媒体の背面を支持する背面支持部とが一体に形成され、載置台の上面に、背面支持部方向に下がる収納傾斜部と載置台の前面方向に下がる取出し傾斜部とを形成し、該取出し傾斜部の前面に、取出した記録媒体を止める堰板を設けた請求項１記載の記録媒体用スタンド。
【発明の詳細な説明】
【０００１】
【発明の属する技術分野】
本発明は、サイズの異なる記録媒体を収納する記録媒体用スタンドに係り、記録媒体のサイズに合わせて収納スペースを調整することができる記録媒体用スタンドに関する。
【０００２】
【従来の技術】
記録媒体を収納するスタンドとして特許文献１に記載されたカセットテープスタンドや、特許文献２に記載された記録媒体用スタンドが提案されている。
【０００３】
特許文献１のスタンドは、当出願人が先に提案したもので、スタンドの背面に設けた横仕切壁に沿って縦仕切壁をスライド自在に設け、縦仕切壁間に寸法が異なるカセットテープを収容することができるカセットテープスタンドを提供している。
【０００４】
一方、特許文献２に記載されたスタンドは、記録媒体の専用収納ケースの厚みに合わせた幅を有する溝を多数形成し、該溝の底部には段部を形成して上段及び下段に分割して部分的に深さが異なるようにし、該上段と溝の側壁とによって専用収納ケースを保持すると共に、下段と溝の側壁とによって記録媒体を保持するもので、記録媒体を専用収納ケースに入っているか否かに関わらず、全く同じ状態で保持できるようにした記録媒体用スタンドである。
【０００５】
【特許文献１】
登録実用新案第３０５９０４３号公報
【特許文献２】
特開平９−１８８３７４号公報
【０００６】
【発明が解決しようとする課題】
特許文献１に記載されたスタンドでは、縦仕切壁等を移動して異なるカセットテープのサイズに合せることが可能になっているが、予めスタンドに装着された縦仕切壁を利用するもので、この縦仕切壁を簡単に追加することができない構成であった。そのため、収納するカセットテープをサイズ別に保持できるように縦仕切壁の枚数を設定すると、カセットテープ以外の厚みが薄い記録媒体を合理的に保持することが困難になっていた。
【０００７】
すなわち、カセットテープに代わる記録媒体として、ＣＤ―ＲＯＭ、ＤＬＴ、ＬＴＯ、ＤＳＳ、ＤＡＴ、ＭＯなど、多種類の記録媒体が用いられるにつれて、カセットテープの幅と比較して一段と薄くなっているサイズの記録媒体が多用されている。そのため、この薄いサイズの記録媒体では、各サイズ別に適数枚ごと収納する必要が生じる。ところが、記録媒体の種類が同じでも、多数の記録媒体を一纏めにしたり、仕切り壁間に保持された記録媒体相互が窮屈な状態にあるときは、１枚の記録媒体を取り出す際に、この記録媒体周辺の不要な記録媒体まで取り出してしまう不都合が生じる。このように、薄いサイズの記録媒体では、目的の一枚を取出し易くするために、適数枚ずつ分けて保持できるようにする手段が必要になっており、特許文献１の縦仕切壁では、薄いサイズの記録媒体に適応した柔軟な対応ができないものであった。
【０００８】
一方、特許文献２に記載されたスタンドは、記録媒体を個別に保持する構造を採用しているので、必要のないものまで取り出してしまう不都合はないが、所定の記録媒体のサイズに合せた固定ピッチで支持壁を設けているので、サイズが異なる記録媒体に対応することはできないといった不都合があった。しかも、ケースの底部に多数形成した溝に収納する構成を採用しているので、サイズ別の記録媒体を適数枚ごと保持することもできない。
【０００９】
更に、従来のいずれのスタンドにおいても、複数のスタンドを横並びにして使用することが多い。この場合、スタンドの左右両端に位置するエンド部分が夫々重なり合うことから、スタンドを取り出す手掛かりがなくなってしまい、横並びの列から一部のスタンドを取り出す作業が困難な作業になっていた。
【００１０】
そこで、本発明は上述の不都合を解消すべく創出されたもので、サイズの異なる記録媒体を個別に又は適数枚ずつ保持することが可能になり、しかも、横並びの列から一部のスタンドを容易に取出すことができる記録媒体用スタンドの提供を目的とするものである。
【００１１】
【課題を解決するための手段】
上述の目的を達成すべく本発明の第１の手段は、記録媒体Ｐを載置するベース体１と、該ベース体１の左右両端部に配置されたエンドパネル２と、ベース体１上面の長手方向に沿って設けられた固定凹部１Ａａに着脱自在に装着する仕切り板３とからなる記録媒体用スタンドにおいて、ベース体１の固定凹部１Ａａに着脱自在に嵌合する嵌合突起３Ｂを仕切り板３の底面に設けると共に、該底面からベース体１の載置面に沿って延長される幅調節片３Ａを設け、該幅調節片３Ａに複数の係止部３Ａａを設け、隣接する仕切り板３の幅調節片３Ａの係止部相互３Ａａを係止して仕切り板３相互の間隔を調整することにある。
【００１２】
第２の手段は、前記エンドパネル２の左右いずれか一方の上端部前面と、残る他方の上端部後面とに突起部２Ａを設け、複数のスタンドを横並びにしたときに隣接したエンドパル２から該突起部２Ａが突出するように設けている。
【００１３】
第３の手段のベース体１は、記録媒体Ｐを載置する載置台１Ａと記録媒体Ｐの背面を支持する背面支持部１Ｂとが一体に形成され、載置台１Ａの上面に、背面支持部方向に下がる収納傾斜部１Ａｂと載置台１Ａの前面方向に下がる取出し傾斜部１Ａｃとを形成し、該取出し傾斜部１Ａｃの前面に、取出した記録媒体Ｐを止める堰板１Ｃを設けたことを課題解消のための手段とする。
【００１４】
本発明によると、仕切り板３相互の間隔を係止部３Ａａの係止位置によって調整することで、サイズ別の記録媒体Ｐを個別に又は適数枚ずつ合理的に保持することができる。また、仕切り板３を自由に追加することも可能になる。更に、横並びに配置された複数のスタンドの中から、エンドパネル２の突起部２Ａに指を掛けて持ち上げることができるものである。
【００１５】
【発明の実施の形態】
以下、図面を参照して本発明の実施の形態を説明する。本発明スタンドの基本構成は、ベース体１、エンドパネル２、仕切り板３からなる（図１参照）。
【００１６】
ベース体１は、記録媒体Ｐを載置する部材で、記録媒体Ｐを載置する載置台１Ａと記録媒体Ｐの背面を支持する背面支持部１Ｂとが一体に形成されている。ベース体１の材質は、アルミ押出材が、軽量で強度に優れ、任意の長さでの切断加工が容易なことから特に好適であるが、プラスチック材など、この他の材質を使用してもよい。
【００１７】
このベース体１において、載置台１Ａの上面に固定凹部１Ａａを設け、該固定凹部１Ａａに、後述する仕切り板３を自由に装着できるようにしている（図５参照）。また、載置台１Ａの上面に、背面支持部方向に下がる収納傾斜部１Ａｂと載置台１Ａの前面方向に下がる取出し傾斜部１Ａｃとを形成している。
【００１８】
ベース体１の固定凹部１Ａａは、載置台１Ａの長手方向に沿って設けられている。また、仕切り板３を安定して装着できるように、複数本の固定凹部１Ａａを平行に形成している（図５参照）。図示の固定凹部１Ａａは、断面略Ｌ字状の凹部を形成するように設けている。この形状により、仕切り板３を嵌合した後で、仕切り板３が容易に抜け出ないようにしている。
【００１９】
ベース体１の収納傾斜部１Ａｂは、載置台１Ａ上に記録媒体Ｐを載せたときに、記録媒体Ｐが背面支持部１Ｂ方向に傾き、記録媒体Ｐの自重でスライドして所定の位置に自動的に収まるように設けられている（図５参照）。本発明スタンドは、サイズの異なる各種の記録媒体Ｐを収納できるようにするため、すべてのサイズの記録媒体Ｐを自動的に収まるように設けることは困難であるが、少なくとも、ＤＬＴ、ＬＴＯ、ＤＳＳ、ＤＡＴ、ＭＯなど、近似のサイズの記録媒体Ｐが自動的に収まるように設定すると、より合理的に収納することができる。
【００２０】
ベース体１の取出し傾斜部１Ａｃは、取り出そうと選択した記録媒体Ｐを手前に傾けたときに、この取出し傾斜部１Ａｃに沿って記録媒体Ｐが傾斜する部分である（図５参照）。このように記録媒体Ｐを前方に傾斜せしめることで、後方に傾斜している他の記録媒体Ｐの中から極めて容易に取出すことができる。また、該取出し傾斜部１Ａｃの前面に設けた堰板１Ｃは、取出した記録媒体Ｐの落下を止めるもので、この堰板１Ｃは、地震などの振動を受けた際にも同様に機能し、収納した記録媒体Ｐの飛び出しを防止する地震対策用の構成にもなっている。
【００２１】
エンドパネル２は、ベース体１の左右両端部に配置された部材であり、ベース体１の端部に止着ネジ４などで着脱自在に固定される（図４参照）。該エンドパネル２の左右いずれか一方の上端部前面と、残る他方の上端部後面とに突起部２Ａを設けている。この突起部２Ａは、複数のスタンドを横並びにしたときに隣接したエンドパル２から該突起部２Ａが突出するように設けることで、特定のスタンドを持ち上げ易いようにしたものである（図７参照）。図示の突起部２Ａは、側面略鉤形状に屈曲した形状を成しているが、隣接するエンドパネル２相互と密接したときに、この突起部２Ａのみが突出する形状であればよく、突起部２Ａのデザインは任意に変更できるものである。
【００２２】
仕切り板３は、ベース体１上面の長手方向に沿って設けられた固定凹部１Ａａに着脱自在に設けられている（図１参照）。この仕切り板３の底面には、ベース体１の固定凹部１Ａａに嵌合する嵌合突起３Ｂと、該底面からベース体１の載置面に沿って延長される幅調節片３Ａとが設けられている（図６参照）。
【００２３】
幅調節片３Ａは、隣接する仕切り板３相互の間隔を一定に調整する部材であり、該幅調節片３Ａに複数の係止部３Ａａを設けている。そして、隣接する仕切り板３の幅調節片３Ａの係止部３Ａａに係止して仕切り板３相互の間隔を調整する（図２参照）。図示の幅調節片３Ａは、固定凹部１Ａａの長手方向に沿った帯び板状を成し、仕切り板３の底部から左右方向、若しくは左右いずれか一方に延長されている（図６参照）。そして、係止部３Ａａは、幅調節片３Ａの固定凹部１Ａａに沿った側縁部に略波形状を成す凹凸状として形成されており、これらの凹凸の中から、互いに係止する位置を変えることで、仕切り板３相互の間隔を調整するものである。図示の幅調節片３Ａは、５段階の係止部３Ａａを設けることで、仕切り板３の間隔を５段階に調整するものであるが、この係止部３Ａａの形状や設置位置等は図示例に限られるものではない。また、係止部３Ａａ相互を係止した際に、連結した幅調節片３Ａ相互の上面がフラットになるように設けることで、記録媒体Ｐ収納時のガタつきを防止する。
【００２４】
仕切り板３には、幅調節片３Ａを底部から左右方向に延長した両面タイプと、底部から左右いずれか一方に延長した片面タイプとがある（図６参照）。片面タイプの仕切り板３（同図ロ参照）は、エンドパネル２に近接する位置に用い、両面タイプ（同図イ参照）は、片側タイプの間で使用する（図１参照）。
【００２５】
嵌合突起３Ｂは、載置台１Ａの固定凹部１Ａａに嵌合する部材である（図５参照）。図示の嵌合突起３Ｂは、固定凹部１Ａａに沿って差し込む帯板状を成し、下端部をわずかに脹らませて抜け止めとしている。また、固定凹部１Ａａの開口部から強制的に固定凹部１Ａａ内に押し込めるようにすることで、仕切り板３の追加装着を容易にすることができる。図示例では、嵌合突起３Ｂを前記幅調節片３Ａの下面に沿って設けることで、該幅調節片３Ａと嵌合突起３Ｂとの強度を相互に高めている（図６参照）。
【００２６】
本発明スタンドは、ベース体１に装着した仕切り板３相互の幅調節片３Ａの係合位置を調整して、記録媒体Ｐをサイズ別に保持するもので、例えば、ＤＬＴテープ、ＬＴＯテープ、などの記録媒体Ｐや、ＤＬＴ、ＤＤＳ、ＬＴＯ、８ｍｍのケースなどを個別に収納するように設定することが可能である（図３参照）。また、ＭＯ、ＣＤ、ＦＤなど薄型の記録媒体Ｐを適数枚ずつ保持するように設定することも可能であり、使用する記録媒体Ｐの幅に応じて仕切り板３相互の幅を自由に設定する。
【００２７】
【発明の効果】
本発明は、上述の如く構成したことにより当初の目的を達成する。すなわちベース体１の固定凹部１Ａａに嵌合する嵌合突起３Ｂを仕切り板３の底面に設けると共に、該底面からベース体１の載置面に沿って延長される幅調節片３Ａを設け、該幅調節片３Ａに複数の係止部３Ａａを設け、隣接する仕切り板３の幅調節片３Ａの係止部相互３Ａａを係止して仕切り板３相互の間隔を調整することにより、サイズの異なる記録媒体を個別に又は適数枚ずつ合理的に保持することが可能になった。
【００２８】
また、エンドパネル２の左右いずれか一方の上端部前面と、残る他方の上端部後面とに突起部２Ａを設け、複数のスタンドを横並びにしたときに、隣接したエンドパル２から該突起部２Ａが突出するように設けたことで、横並びの列から一部のスタンドを容易に取出すことができる。
【００２９】
更に、載置台１Ａの上面に、背面支持部方向に下がる収納傾斜部１Ａｂと載置台１Ａの前面方向に下がる取出し傾斜部１Ａｃとを形成し、該取出し傾斜部１Ａｃの前面に、取出した記録媒体Ｐを止める堰板１Ｃを設けたことにより、記録媒体Ｐの取出し作業を極めて容易にする。
【００３０】
このように、本発明によると、サイズの異なる記録媒体を個別に又は適数枚ずつ合理的に保持することが可能になり、しかも、横並びの列から一部のスタンドを容易に取出すことができるなどといった有益な種々の効果を奏するものである。
【図面の簡単な説明】
【図１】本発明の一実施例を示す分解斜視図である。
【図２】本発明の一実施例を示す平面図である。
【図３】本発明の一実施例を示す正面図である。
【図４】本発明の一実施例を示す側面図である。
【図５】本発明の使用状態を示す側断面図である。
【図６】本発明の仕切り板を示し、（イ）は両面タイプ（ロ）は片面タイプを示す底面図である。
【図７】本発明スタンドを一列に組み合せた状態を示す分解斜視図である。
【符号の説明】
Ｐ  記録媒体
１  ベース体          １Ａ  載置台
１Ａａ  固定凹部
１Ａｂ  収納傾斜部
１Ａｃ  取出し傾斜部
１Ｂ  背面支持部
１Ｃ  堰板
２  エンドパネル      ２Ａ  突起部
３  仕切り板          ３Ａ  幅調節片
３Ａａ  係止部
３Ｂ  嵌合突起
４  止着ネジ
【図１】
2005022718.tif 000003
【図２】
2005022718.tif 000004
【図３】
2005022718.tif 000005
【図４】
2005022718.tif 000006
【図５】
2005022718.tif 000007
【図６】
2005022718.tif 000008
【図７】
2005022718.tif 000009